【手続補正書】
【提出日】平成29年5月9日(2017.5.9)
【手続補正１】
【補正対象書類名】明細書
【補正対象項目名】００６３
【補正方法】変更
【補正の内容】
【００６３】
本明細書によるアクチュエータ及び吸入器は、本明細書で説明した任意の特徴部を別個に含んでいても良いし又は任意の他の特徴部と組み合わせて含んでいても良く、このことを必要に応じて他の特徴部の適切な変更を伴って行なっても良い。このことは、当業者にとって容易に明らかであろう。本発明の実施態様の一部を以下の項目［１］−［２２］に記載する。
［項目１］
吸入器用アクチュエータであって、
本体と、ステムポストと、前記ステムポストを前記本体内に固定するための固定手段とを含み、
前記本体は、薬剤を送達するための送達通路と、バルブステムを伴う計量バルブを有するキャニスターを挿入するためのキャニスター開口部とを含み、
前記ステムポストは、キャニスターの前記バルブステムを受容するためのステムソケットを含み、薬剤を前記送達通路に放出するためのオリフィスを含み、
前記ステムポストが前記ボディ内に固定されたときに前記ステムポストと前記ボディとが協働で移行チャンバを画定するように前記ステムポストが適応されかつ前記ボディが適応される、吸入器用アクチュエータ。
［項目２］
前記移行チャンバは前記ステムソケット及び前記送達通路と流体連通している、項目１に記載のアクチュエータ。
［項目３］
前記固定手段は、前記ステムポストを前記キャニスター開口部に通して挿入することによって前記ステムポストが前記本体内に固定可能であるように適応されている、項目１又は項目２に記載のアクチュエータ。
［項目４］
前記ステムポストが第１の移行領域を含む、項目１〜３のいずれか一項に記載のアクチュエータ。
［項目５］
前記第１の移行領域は、前記ステムソケットと前記オリフィスとの間に位置している、項目４に記載のアクチュエータ。
［項目６］
前記ステムポストは、計量用量の前記薬剤の少なくとも一部を前記キャニスターから受け取るための膨張チャンバを更に含む、項目１〜５のいずれか一項に記載のアクチュエータ。
［項目７］
前記膨張チャンバは前記ステムソケットと前記移行領域との間に位置している、項目６に記載のアクチュエータ。
［項目８］
前記本体は第２の移行領域を含む、項目１〜７のいずれか一項に記載のアクチュエータ。
［項目９］
前記ステムポストが前記本体内に固定されたときに、前記第１の移行領域と前記第２の移行領域とが前記移行チャンバを画定する、項目８に記載のアクチュエータ。
［項目１０］
前記オリフィスは、所定の幅及び所定の長さの噴出部分を有する、項目１〜９のいずれか一項に記載のアクチュエータ。
［項目１１］
前記固定手段は少なくとも１つの圧入シールを含む、項目１〜１０のいずれか一項に記載のアクチュエータ。
［項目１２］
前記少なくとも１つの圧入封止はリング及び溝圧入シールを含む、項目１１に記載のアクチュエータ。
［項目１３］
前記ステムポストは一体成型品である、項目１〜１２のいずれか一項に記載のアクチュエータ。
［項目１４］
前記本体は一体成型品である、項目１〜１３のいずれか一項に記載のアクチュエータ。
［項目１５］
前記送達通路は薬剤の経鼻送達に適応したノーズピースを含む、項目１〜１４のいずれか一項に記載のアクチュエータ。
［項目１６］
前記本体は、窓、好ましくは表示器及び／又は用量カウンタ視認窓を更に含む、項目１〜１５のいずれか一項に記載のアクチュエータ。
［項目１７］
用量カウンタを支持するための支持手段を更に含む、項目１〜１６のいずれか一項に記載のアクチュエータ。
［項目１８］
薬剤を送達するための吸入器であって、項目１〜１７のいずれか一項に記載のアクチュエータとキャニスターとを含む吸入器。
［項目１９］
吸入器用アクチュエータに対する挿入可能な部品を製造する方法であって、
前記部品を成型するための型であって、雄型の移行特徴部と少なくとも２つの成型ピンとを含む型を用意することと、
前記成型ピンを各成型ピンの端部が前記移行特徴部の表面と接触するように配置することと、
少なくとも第１のポリマーを前記型のキャビティ内に注入することと、を含む方法。
［項目２０］
前記の２つの成型ピンは、前記部品の前記膨張チャンバを製造するための第１の成型ピンと、前記部品の前記オリフィスを製造するための第２の成型ピンと、を含む、項目１９に記載の方法。
［項目２１］
前記移行特徴部は少なくとも第１の表面と第２の表面とを有し、前記第１の成型ピンは前記第１の表面と接触するように配置され、前記第２の成型ピンは前記第２の表面と接触するように配置される項目２０に記載の方法。
［項目２２］
吸入器用アクチュエータを組み立てる方法であって、
本体と、ステムポストと、前記ステムポストを前記本体内に固定するための固定手段とを用意することであって、前記本体は、第２の移行領域と、薬剤を送達するための送達通路と、バルブステムを伴う計量バルブを有するキャニスターを挿入するためのキャニスター開口部とを含み、前記ステムポストは、第１の移行領域と、キャニスターの前記バルブステムを受け取るためのステムソケットと、薬剤を前記送達通路に放出するためのオリフィスとを含む、用意することと、
前記ステムポストを前記キャニスター開口部に通して前記本体内に挿入することによって前記ステムポストを前記本体内に固定することであって、前記ステムポストが前記本体内に固定されたときに、前記第１の移行領域と前記第２の移行領域とが協働で移行チャンバを画定する、固定することと、を含む方法。
【手続補正２】
【補正対象書類名】特許請求の範囲
【補正対象項目名】全文
【補正方法】変更
【補正の内容】
【特許請求の範囲】
【請求項１】
吸入器用アクチュエータであって、
本体と、ステムポストと、前記ステムポストを前記本体内に固定するための固定手段とを含み、
前記本体は、薬剤を送達するための送達通路と、バルブステムを伴う計量バルブを有するキャニスターを挿入するためのキャニスター開口部とを含み、
前記ステムポストは、キャニスターの前記バルブステムを受容するためのステムソケットを含み、薬剤を前記送達通路に放出するためのオリフィスを含み、
前記ステムポストが前記ボディ内に固定されたときに前記ステムポストと前記ボディとが協働で移行チャンバを画定するように前記ステムポストが適応されかつ前記ボディが適応される、吸入器用アクチュエータ。
【請求項２】
前記移行チャンバは前記ステムソケット及び前記送達通路と流体連通している、請求項１に記載のアクチュエータ。
【請求項３】
前記固定手段は、前記ステムポストを前記キャニスター開口部に通して挿入することによって前記ステムポストが前記本体内に固定可能であるように適応されている、請求項１又は請求項２に記載のアクチュエータ。
【請求項４】
前記ステムポストが第１の移行領域を含み、前記第１の移行領域は、前記ステムソケットと前記オリフィスとの間に位置している、請求項１〜３のいずれか一項に記載のアクチュエータ。
【請求項５】
前記ステムポストは、計量用量の前記薬剤の少なくとも一部を前記キャニスターから受け取るための膨張チャンバを更に含み、前記膨張チャンバは前記ステムソケットと前記移行領域との間に位置している、請求項１〜４のいずれか一項に記載のアクチュエータ。
【請求項６】
前記本体は第２の移行領域を含み、前記ステムポストが前記本体内に固定されたときに、前記第１の移行領域と前記第２の移行領域とが前記移行チャンバを画定する、請求項１〜５のいずれか一項に記載のアクチュエータ。
【請求項７】
前記オリフィスは、所定の幅及び所定の長さの噴出部分を有する、請求項１〜６のいずれか一項に記載のアクチュエータ。
【請求項８】
薬剤を送達するための吸入器であって、請求項１〜７のいずれか一項に記載のアクチュエータとキャニスターとを含む吸入器。
【請求項９】
吸入器用アクチュエータに対する挿入可能な部品を製造する方法であって、
前記部品を成型するための型であって、雄型の移行特徴部と少なくとも２つの成型ピンとを含む型を用意することと、
前記成型ピンを各成型ピンの端部が前記移行特徴部の表面と接触するように配置することと、
少なくとも第１のポリマーを前記型のキャビティ内に注入することと、を含む方法。
【請求項１０】
前記の２つの成型ピンは、前記部品の前記膨張チャンバを製造するための第１の成型ピンと、前記部品の前記オリフィスを製造するための第２の成型ピンと、を含む、請求項９に記載の方法。
【請求項１１】
吸入器用アクチュエータを組み立てる方法であって、
本体と、ステムポストと、前記ステムポストを前記本体内に固定するための固定手段とを用意することであって、前記本体は、第２の移行領域と、薬剤を送達するための送達通路と、バルブステムを伴う計量バルブを有するキャニスターを挿入するためのキャニスター開口部とを含み、前記ステムポストは、第１の移行領域と、キャニスターの前記バルブステムを受け取るためのステムソケットと、薬剤を前記送達通路に放出するためのオリフィスとを含む、用意することと、
前記ステムポストを前記キャニスター開口部に通して前記本体内に挿入することによって前記ステムポストを前記本体内に固定することであって、前記ステムポストが前記本体内に固定されたときに、前記第１の移行領域と前記第２の移行領域とが協働で移行チャンバを画定する、固定することと、を含む方法。